(57)【要約】【課題】従来の携帯電話端末で動画像を撮影する場合、撮影可能時間が比較的短く、また、光学ズーム機構を備えておらず、高画質のズームが出来ない。【解決手段】少なくとも第１の記憶手段と、第１の入力操作部と、第１の表示部と、第１の電源部と、第１のカメラ部を備えた携帯情報端末本体と、少なくとも第２の電源部と、光学ズーム機能を備えた第２のカメラ部を備えた拡張ユニット、とからなる携帯情報端末であって、前記拡張ユニットは、前記携帯情報端末本体に対して着脱自在に構成され、前記携帯情報端末本体に前記拡張ユニットを装着中は、前記携帯情報端末本体に対して、前記拡張ユニットの第２の電源部からの電力の供給と、第２のカメラ部からの画像データの伝送を可能とする。【選択図】図２
2005208702.tif 000002
【特許請求の範囲】
【請求項１】
少なくとも第１の記憶手段と、第１の入力操作部と、第１の表示部と、第１の電源部と、第１のカメラ部を備えた携帯情報端末本体と、
少なくとも第２の電源部と、光学ズーム機能を備えた第２のカメラ部を備えた拡張ユニット、とからなる携帯情報端末であって、
前記拡張ユニットは、
前記携帯情報端末本体に対して着脱自在に構成され、
前記携帯情報端末本体に前記拡張ユニットを装着中は、前記携帯情報端末本体に対して、前記拡張ユニットの第２の電源部からの電力の供給と、
第２のカメラ部からの画像データの伝送を可能とする事を特徴とした携帯情報端末。
【請求項２】
前記第1の電源部は２次電池で構成され、前記第２の電源部からの電力で、前記第１の電源部を充電可能とする事を特徴とする請求項１記載の携帯情報端末。
【請求項３】
少なくとも第１の記憶手段と、第１の入力操作部と、第１の表示部と、燃料電池と、第一の燃料タンクと、第１のカメラ部を備えた携帯情報端末本体と、
少なくとも第２の燃料タンクと、光学ズーム機能を備えた第２のカメラ部を備えた拡張ユニット、とからなる携帯情報端末であって、
前記拡張ユニットは、前記携帯情報端末本体に対して着脱自在に構成され、
前記携帯情報端末本体に前記拡張ユニットを装着中は、前記携帯情報端末本体に対して、前記拡張ユニットの第２の燃料タンクからの燃料の供給と、第２のカメラ部からの画像データの伝送を可能とする事を特徴とした携帯情報端末。
【請求項４】
前記拡張ユニットは、第２の入力操作部を備えており、前記携帯情報端末本体に前記拡張ユニットを装着中は、前記第2の入力操作部からの入力情報を前記携帯情報端末本体に伝送可能とする事を特徴とした請求項１〜３の何れか記載の携帯情報端末。
【請求項５】
前記拡張ユニットは、第２の記憶手段を備えており、前記携帯情報端末本体に前記拡張ユニットを装着中は、前記携帯情報端末本体から前記第2の記憶手段へ符号化済みの画像データを記録可能とした事を特徴とする請求項１〜４の何れか記載の携帯情報端末。
【請求項６】
前記拡張ユニットは、第１の表示部より電力消費の少ない第２の表示部を備えている事を特徴とする請求項１〜５の何れか記載の携帯情報端末。
【請求項７】
携帯情報端末本体と、少なくとも第２の電源部を備えた拡張ユニットとからなる携帯情報端末であって、
前記拡張ユニットは、
前記携帯情報端末本体に対して着脱自在に構成され、
前記携帯情報端末本体に前記拡張ユニットを装着中は、前記携帯情報端末本体に対して、前記拡張ユニットの第２の電源部からの電力の供給を可能とする事を特徴とした携帯情報端末。
【請求項８】
携帯情報端末本体と、少なくとも第２のカメラ部を備えた拡張ユニットとからなる携帯情報端末であって、
前記拡張ユニットは、
前記携帯情報端末本体に対して着脱自在に構成され、
前記携帯情報端末本体に前記拡張ユニットを装着中は、前記携帯情報端末本体に対して、第２のカメラ部からの画像データの伝送を可能とする事を特徴とした携帯情報端末。
【発明の詳細な説明】
【技術分野】
【０００１】
本発明は、携帯情報通信端末または、携帯電話端末に関するものである。
【背景技術】
【０００２】
近年、画像撮影機能付きの携帯情報端末や、携帯電話端末が開発されている。このような携帯機器は、一般的に画像撮影の為のカメラ部と、画像や文字情報を表示する為の表示部と、携帯機器に電力を供給する一般的にはバッテリーで構成された電源部を備えた構成をとっている。
【０００３】
例えば、特開２０００−２５３１１８号公報（特許文献１）により開示される携帯情報端末は、電源部、表示部を備えた携帯情報端末の本体部と、カメラ部を着脱自在にした構成となっており、カメラ部には、本体部より電力の供給が行なわれる。
【０００４】
また、MPEG-4などの動画像符号化技術の進歩により、これらの携帯情報端末や、携帯電話で動画像撮影機能を備えた物が開発されて来ており、年々、撮影可能な画像サイズや、フレームレートが向上してきている。このため、近い将来、現行のカメラ一体型家庭用VTRと同等の画像サイズやフレームレートでの動画像撮影が可能になると予測される。
【特許文献１】特開２０００−２５３１１８号公報
【発明の開示】
【発明が解決しようとする課題】
【０００５】
しかしながら、従来の携帯情報端末や、携帯電話端末において動画像撮影をする場合、以下のような課題があった。
【０００６】
すなわち、従来の携帯情報端末や、携帯電話端末において動画像撮影する場合、携帯情報端末や携帯電話端末の電源部のみからの電力供給では、長時間の動画像撮影が出来ないという課題があった。また、従来の携帯情報端末や携帯電話は、光学ズーム機能を備えていないため画像のズームは、デジタルズームしか行なえず、ズームの倍率を上げていくと、画質が劣化してしまうという課題があった。
【課題を解決するための手段】
【０００７】
本発明に係る携帯情報端末は、少なくとも第一の入力操作部と、表示部と、第１の電源部と、第１のカメラ部を備えた携帯情報端末本体と、少なくとも第２の電源部と、光学ズーム機能を備えた第２のカメラ部を備えた拡張ユニット、とからなる携帯情報端末において、前記拡張ユニットは、前記携帯情報端末本体に対して着脱自在に構成され、前記携帯情報端末本体に前記拡張ユニットを装着中は、前記携帯情報端末本体に対して、前記拡張ユニットの第２の電源部からの電力の供給と、第２のカメラ部からの画像データの伝達を可能とする事を特徴とするものである。
【０００８】
これによって、携帯情報端末で動画撮影を行なう場合に、携帯情報端末に拡張ユニットを装着することで、携帯情報端末に、ズーム機能と長時間録画機能を同時に付加する事が可能となる。
【０００９】
また、本発明に係る携帯情報端末においては、前記第1の電源部は２次電池で構成され、前記第２の電源部からの電力で、前記第１の電源部を充電可能とする事を特徴とするものである。
【００１０】
これによって、外出先で携帯情報端末の２次電池が消耗した場合にも、携帯情報端末本体に拡張ユニットを装着し、携帯情報端末本体の２次電池を充電可能となり、携帯情報端末本体の利便性が向上する。
【００１１】
また、本発明に係る携帯情報端末は、少なくとも第一の入力操作部と、表示部と、燃料電池と、第一の燃料タンクと、第１のカメラ部を備えた携帯情報端末本体と、少なくとも第２の燃料タンクと、光学ズーム機能を備えた第２のカメラ部を備えた拡張ユニット、とからなる携帯情報端末において、前記拡張ユニットは、前記携帯情報端末本体に対して着脱自在に構成され、前記携帯情報端末本体に前記拡張ユニットを装着中は、前記携帯情報端末本体に対して、前記拡張ユニットの第２の燃料タンクからの燃料の供給と、第２のカメラ部からの画像データの伝達を可能とする事を特徴とするものである。
【００１２】
これによって、拡張ユニットには、第2の電源部に変わり、第２の燃料タンクを備える事によって、携帯情報端末の第一の電源部が燃料電池であった場合も対応可脳となる。
【００１３】
また、本発明に係る携帯情報端末においては、前記拡張ユニットが、第２の入力操作部を備えており、前記携帯情報端末本体に前記拡張ユニットを装着中は、前記第2の入力操作部からの入力情報を前記携帯情報端末に伝達可能とする事を特徴とするものである。
【００１４】
これによって、携帯情報端末本体に拡張ユニットを装着した時に、第２の入力操作部からの入力操作を元に、携帯情報端末の操作をする事が可能となる。
【００１５】
さらに、第2の入力操作部は、携帯情報端末本体に拡張ユニットを装着した状態で、より操作をしやすい位置に配置可能となり、携帯情報端末本体に拡張ユニットを装着した時の操作性が向上する。
【００１６】
また、本発明に係る携帯情報端末においては、前記拡張ユニットは、第２の記憶手段を備えており、前記携帯情報端末本体に前記拡張ユニットを装着中は、前記携帯情報端末本体から前記第2の記憶手段へ符号化済みの画像データを記録可能とした事を特徴とするものである。
【００１７】
これによって、携帯情報端末本体に拡張ユニットを装着して使用する場合、携帯情報端末本体の第一の記憶手段と、拡張ユニットの第２の記憶手段の両方の記憶手段を利用可能となり、より大量の情報を記憶可能となる。
【００１８】
また、本発明に係る携帯情報端末においては、前記拡張ユニットは、第２の表示部を備えている事を特徴とするものである。
【００１９】
これによって、携帯情報端末本体に拡張ユニットを装着して使用する場合は、携帯情報端末本体の第１の表示部をOFFし、拡張ユニットの第２の表示部のみONした状態で画像の撮影が可能となり、拡張ユニットも含めた携帯情報端末全体の電力消費を低くおさえる事が可能となり、より長時間の画像の撮影が可能となる。
【発明の効果】
【００２０】
本発明によれば、通常は、携帯性に優れた携帯情報端末のみで静止画や動画を撮影し、より本格的な、静止画や動画を長時間撮影したい場合には、携帯情報端末に拡張ユニットを装着するといった、利用シーンに応じた携帯情報端末の使用形態を可能とする。
【発明を実施するための最良の形態】
【００２１】
以下、本発明の実施の形態について図面を用いて詳細に説明する。
【００２２】
（第１の実施の形態）
図１は本発明の第1の実施の形態における携帯電話端末の外観を示す。図１（a）は、携帯電話端末本体１と拡張ユニット８が分離された状態を示す。図１（ｂ）は、携帯電話端末本体を図１（a）とは別の角度から図示したものである。図１（ｃ）は、携帯電話端末本体１と拡張ユニット８が接続された状態を示す。
【００２３】
また、図２本発明の第1の実施の形態における携帯電話端末の機能ブロック図を示す。携帯電話端末本体１は、複数のボタン、例えばテンキーや、電源ボタン、録画開始ボタン、録画停止ボタン、ズームボタン等で構成される入力操作部２と、LCD表示パネルを供えた表示部３と、第１のカメラ部４と、残量情報を出力可能で、充放電マネジメント回路を備えた第一のバッテリー部５と、電源端子15及び16と、情報伝送用端子を備えたコネクタ17と、固定用の窪み18と、CPU、ROM、RAM、シリアルIFや汎用IOなどを備えたマイクロコンピュータで構成され携帯電話端末各部を制御する中央処理部20と、FLASHメモリなどの半導体メモリで構成された内部メモリ21と、メモリカードIF22と、MPEG-4等の画像符号化/復号化処理を実現する画像処理部23と、画像入力選択部24と、電源切り替え部25と、通信制御部27とアンテナ28とを備える。
【００２４】
なお、残量情報を出力可能で、充放電マネジメント回路を備えたバッテリー部に関しては、CQ出版社のトランジスタ技術2002年7月号の140ページの図３にその構成が開示されている。
【００２５】
表示部３は、第1のカメラ部４の撮影方向の軸線７と90度の角度で交わる軸線６を軸として、表示面を回転可能となっている。
【００２６】
拡張ユニット８は、光学ズーム機能を備えた第2のカメラ部９と、残量情報を出力可能で、充放電マネジメント回路を備えた第２のバッテリー部19と、電源端子12、13と、情報伝送用端子を備えたコネクタ14と、固定用の爪11を備える。
【００２７】
携帯電話本体部１と拡張ユニットは、固定用の爪11と、窪み18により装着、固定される。このとき、電源端子12と15、13と16、コネクタ14と17がそれぞれ接続される。
【００２８】
電源端子12と15、13と16は、電源及びGNDの接続に使用される。
【００２９】
コネクタ14と17は、第２のカメラ部９からの画像データ転送用端子と、第２のカメラ部９へ中央処理部20からの指示を伝送する端子と、バッテリー19の残量を中央処理部20へ伝送する端子と、バッテリー部19からの電力を、携帯電話端末本体１内で折り返して、拡張ユニット８へ供給する端子が含まれる。
【００３０】
この構成とした事によって、携帯電話端末本体１と拡張ユニット８が接続されていないときは、拡張ユニット各部への電力の供給は自動的にOFFとなる。
【００３１】
メモリカード26は、必要に応じてメモリカードIFに接続される。
【００３２】
以下、携帯電話端末本体１のみを使用して動画像の撮影を行なう場合の各部の動作を説明する。まず初めにユーザーが入力操作部２に対して動画像の撮影を開始する操作を実行する。入力操作部への操作を検出した中央処理部は、画像入力選択部24に信号を送り、カメラ部４からの画像データが、画像処理部23へ入力されるようにする。また、中央処理部は、画像処理部23に対して動画像の符号化処理を実行するよう指示を出し、画像処理部23は、入力された画像データに対して、例えばMPEG-4動画像符号化処理、を行なうと同時に表示部３に対して表示画像データを出力する。さらに、中央処理部は、画像処理部から、符号化済みの画像データを読み出し、あらかじめユーザーが選択した記録先、すなわち内部メモリ21または、メモリカードIF部22を介して例えば、SDカードなどのメモリカードへ符号化済みの画像データを記録する。
【００３３】
このときの、携帯電話端末本体１の各部への電力の供給は、電源切り替え部25を介して、バッテリー部５から供給される。
【００３４】
次に、携帯電話端末本体１に拡張ユニット８を装着して動画像の撮影を行なう場合の各部の動作について説明する。まず初めにユーザーが入力操作部2に対して動画像の撮影を開始する操作を実行する。入力操作部2への操作を検出した中央処理部は、画像入力選択部24に信号を送り、拡張ユニットの光学ズーム付きカメラ部９からの画像データが、画像処理部23へ入力されるようにする。また、中央処理部は、画像処理部23に対して動画像の符号化処理をするよう指示を出し、画像処理部23は、入力された画像データに対して、例えばMPEG-4動画像符号化処理、を行なうと共に表示部３に対して表示画像データを出力する。さらに、中央処理部は、画像処理部から、符号化済みの画像データを読み出し、あらかじめユーザーによって、設定されている格納先、内部メモリ21または、メモリカードIF部22を介して例えば、SDカードなどのメモリカードへ符号化済みの画像データを記録する。
【００３５】
入力画像のズームを行なう場合は、入力操作部2においてズームの操作を行なう、入力操作部２への操作を検出した中央処理部20は、光学ズーム付きカメラ部9へ光学ズーム動作をするように指示を出し、光学ズーム付きカメラ部9のズーム機構が作動する。光学ズーム付きカメラ部9のズーム機構がズームの限界に達してもユーザーがズームの操作を辞めなかった場合、光学ズーム付きカメラ部9がズーム機構の限界に達したことを中央処理部20が検出し、画像処理部23で画像信号処理による入力画像の拡大処理であるデジタルズーム処理を実施する事を指示し、画像処理部23でデジタルズームが実施される。
【００３６】
次に、携帯電話端末本体１に拡張ユニット８を装着して使用する場合の、携帯電話端末１及び拡張ユニット８の各部への電力供給に関して説明する。
【００３７】
携帯電話端末本体１の各部への電力の供給は、電源切り替え部25を介して、拡張ユニットのバッテリー部19から供給され、拡張ユニット８の各部へも、拡張ユニットのバッテリー部19より電力が供給される。
【００３８】
また、拡張ユニット８のバッテリー部19の残量があらかじめ定められた閾値、例えば、携帯電話本体部のバッテリー部５の残量の1/2以下となった場合には、その事を検知した中央処理部が、電源切り替え部25に指示を出し、携帯電話本体部１の各部に対する電力供給を携帯電話本体部１のバッテリー部５から行ない、拡張ユニット各部への電力の供給は、拡張ユニット８のバッテリー部19から行なわれる。
【００３９】
なお、本実施例では、携帯電話端末本体及び拡張ユニットの電源をバッテリーとしたが、携帯電話端末本体及び拡張ユニットの電源は、コンデンサでもよい。
【００４０】
（第２の実施の形態）
図３は本発明の第２の実施の形態における携帯電話端末の外観を示す。図３（a）は、携帯電話端末本体１と拡張ユニット100が分離された状態を示す。図３（ｂ）は、携帯電話端末本体を図３（a）とは別の角度から図示したものである。図３（ｃ）は、携帯電話端末本体１と拡張ユニット100が接続された状態を示す。
【００４１】
また、図４に本発明の第２の実施の形態における携帯電話端末の機能ブロック図を示す。図３、図４においては、図１、図２と同様の構成要素については、同一の符号を付すことにより、説明を省略する。
【００４２】
本実施の形態における拡張ユニット100は、第１の実施の形態における、拡張ユニット８と比べて、第２の入力操作部10をさらに備える事を特徴とする。
【００４３】
入力操作部10は、録画開始ボタン、録画停止ボタン、ズームボタン等を含む。
【００４４】
また、本実施の形態におけるコネクタ14と17は、第１の実施の形態における、コネクタ14、17と比べて、入力操作部10からの入力操作データを中央処理部20に伝送する為の端子をさらに備える。
【００４５】
また、拡張ユニット100の各部への電力の供給は、いったん電源切り替え部25を介して、さらに、第1の実施例と同じくコネクタ14と17を介して行なわれる。
【００４６】
この構成とした事によって、携帯電話端末本体１と拡張ユニット８が接続されていないときは、拡張ユニット各部への電力の供給は自動的にOFFとなる。
【００４７】
本実施の形態において、携帯電話端末本体１のみを使用して動画像の撮影を行なう場合の各部の動作は、第1の実施の形態とまったく同じである。
【００４８】
次に、本実施の形態において、携帯電話端末本体１に拡張ユニット100を装着して動画像の撮影を行なう場合の各部の動作について説明する。まず初めにユーザーが拡張ユニット100の第２の入力操作部10に対して動画像の撮影を開始する操作を実行する。入力操作部への操作を検出した中央処理部は、画像入力選択部24に信号を送り、拡張ユニット100の光学ズーム付きカメラ部９からの画像データが、画像処理部23へ入力されるようにする。また、中央処理部は、画像処理部23に対して動画像の符号化処理を実行するよう指示を出し、画像処理部23は、入力された画像データに対して、例えばMPEG-4動画像符号化処理、を行なうと共に表示部３に対して表示画像データを出力する。さらに、中央処理部は、画像処理部から、符号化済みの画像データを読み出し、あらかじめユーザーによって、設定されている格納先、内部メモリ21または、メモリカードIF部22を介して例えば、SDカードなどのメモリカードへ符号化済みの画像データを記録する。
【００４９】
入力画像のズームを行なう場合は、入力操作部10においてズームの操作を行なう、入力操作部２への操作を検出した中央処理部20は、光学ズーム付きカメラ部9へ光学ズーム動作をするように指示を出し、光学ズーム付きカメラ部9のズーム機構が作動する。光学ズーム付きカメラ部9のズーム機構がズームの限界に達してもユーザーがズームの操作を辞めなかった場合、光学ズーム付きカメラ部9がズーム機構の限界に達したことを中央処理部20が検出し、画像処理部23で画像信号処理による入力画像の拡大処理であるデジタルズーム処理を実施する事を指示し、画像処理部23でデジタルズームが実施される。
【００５０】
次に、携帯電話端末本体１に拡張ユニット100を装着して使用する場合の、携帯電話端末１及び拡張ユニット100の各部への電力供給に関して説明する。
【００５１】
携帯電話端末本体１の各部への電力の供給は、電源切り替え部25を介して、拡張ユニットのバッテリー部19から供給され、拡張ユニット100の各部へも、電源切り替え部25を介して、拡張ユニットのバッテリー部19より電力が供給される。
【００５２】
また、拡張ユニット100のバッテリー部19の残量があらかじめ定められた閾値、例えば、拡張ユニット100のバッテリー部19の総容量の1/10以下となった場合には、その事を検知した中央処理部が、電源切り替え部25に指示を出し、携帯電話本体部１および、拡張ユニット100の各部に対する電力供給を携帯電話本体部１のバッテリー部５から行う。こうする事で、たとえ拡張ユニット100のバッテリー部19の残量が無くなったときでも、光学ズームを使った撮影を継続する事が出来る。
【００５３】
なお、本実施例では、携帯電話端末本体及び拡張ユニットの電源をバッテリーとしたが、携帯電話端末本体及び拡張ユニットの電源は、コンデンサでもよい。
【００５４】
（第３の実施の形態）
図５は本発明の第３の実施の形態における携帯電話端末の機能ブロック図を示す。図５においては、図４と同様の構成要素については、同一の符号を付すことにより、説明を省略する。
【００５５】
本実施の形態における拡張ユニット200は、第２の実施の形態の拡張ユニット100に比べて、AC-DC変換部51と、ACケーブル53と、ACケーブル53を接続する為のソケット52をさらに有する。
【００５６】
ACケーブル53は、拡張ユニット200に対して着脱可能となっている。
【００５７】
本実施の形態において、携帯電話端末本体101のみを使用して動画像の撮影を行なう場合の各部の動作は、第1の実施の形態とまったく同じである。
【００５８】
また、本実施の形態において、携帯電話端末本体101に拡張ユニット200を装着して動画像の撮影を行なう場合の各部の動作については、第２の実施の形態とまったく同じである。
【００５９】
また、入力画像のズームを行なう場合の動作も、第２の実施の形態とまったく同じである。
【００６０】
次に、携帯電話端末本体101に拡張ユニット200を装着して使用する場合の、携帯電話端末101及び拡張ユニット200の各部への電力供給に関して説明する。
【００６１】
携帯電話端末本体101の各部への電力の供給は、電源切り替え部25を介して、拡張ユニットのバッテリー部19から供給され、拡張ユニット200の各部へも、電源切り替え部25を介して、拡張ユニットのバッテリー部19より電力が供給される。
【００６２】
また、拡張ユニット200のバッテリー部19の残量があらかじめ定められた閾値、例えば、拡張ユニット200のバッテリー部19の総容量の1/10以下となった場合には、その事を検知した中央処理部が、電源切り替え部25に指示を出し、携帯電話本体部101及び拡張ユニット200の各部に対する電力供給を携帯電話本体部101のバッテリー部５から行う。
【００６３】
また、帯電話本体部101と拡張ユニット200を接続し、入力操作部２の操作により、拡張ユニット100から、携帯電話端末本体部101へのバッテリー充電を選択し実行した場合は、拡張ユニット200のバッテリー部19からの電流で、携帯電話端末本体部101のバッテリー部５への充電が実施される。
【００６４】
また、拡張ユニット200のソケット52にACケーブル53の一端を挿入し、ACケーブル53のもう一端を、家庭用ACコンテストに挿入する事で、拡張ユニット200のバッテリー部19の充電を行なう。さらにこのとき、携帯電話端末本体部101に拡張ユニット200が装着された状態であれば、拡張ユニット200のバッテリー部19の充電と、携帯電話端末本体部101のバッテリーの充電を同時に行なうことが可能となる。
【００６５】
なお、本実施例では、携帯電話端末本体及び拡張ユニットの電源をバッテリーとしたが、携帯電話端末本体及び拡張ユニットの電源は、コンデンサでもよい。
【００６６】
（第４の実施の形態）
図6は本発明の第４の実施の形態における携帯電話端末の外観を示す。図6（a）は、携帯電話端末本体102と拡張ユニット103が分離された状態を示す。図6（ｂ）は、携帯電話端末本体102を図１（a）とは別の角度から図示したものである。図6（ｃ）は、携帯電話端末本体102と拡張ユニット103が接続された状態を示す。また、図７は、本発明の第４の実施の形態における携帯電話端末の機能ブロック図を示す。携帯電話端末本体102は、複数のボタン、例えばテンキーや、電源ボタン、録画開始ボタン、録画停止ボタン、ズームボタン等で構成される入力操作部２と、LCD表示パネルを供えた表示部３と、第１のカメラ部４と、ダイレクトメタノール方式の燃料電池34と、第一の燃料タンク36と、燃料経路切り替え部35と、バルブ機構付き燃料口31と、情報伝送用端子および電源端子を備えたコネクタ33と、固定用の窪み18と、CPU、ROM、RAM、シリアルIFや汎用IOなどを備えたマイクロコンピュータで構成され、携帯電話端末各部を制御する中央処理部20と、FLASHメモリなどの半導体メモリで構成された内部メモリ21と、メモリカードIF22と、MPEG-4等の画像符号化/復号化処理を実現する画像処理部23と、画像入力選択部24と、通信制御部27とアンテナ28を備える。
【００６７】
表示部３は、第1のカメラ部４の撮影方向の軸線７と90度の角度で交わる軸線６を軸として、表示面を回転可能となっている。
【００６８】
拡張ユニット103は、光学ズーム機能を備えた第2のカメラ部９と、第二の燃料タンク37と、バルブ機構付き燃料口30と、情報伝送用端子と電源端子を備えたコネクタ33と、固定用の爪11を備える。
【００６９】
携帯電話本体部102と拡張ユニット103は、固定用の爪11と、窪み18により装着、固定される。このとき、燃料口30と31、コネクタ32と33がそれぞれ接続される。
【００７０】
燃料口30と燃料口31のバルブ機構は、携帯電話本体部102に拡張ユニット103を装着していない場合は、バルブの口が自動的に閉じ、燃料をもらさないようになっており、携帯電話本体部102に拡張ユニット103を装着した場合は、バルブの口が自動で開くようになっている。
【００７１】
コネクタ32と33は、第２のカメラ部９からの画像データ転送用端子と、第２のカメラ部９へ中央処理部20からの指示を伝送する端子と、入力操作部10からの操作データを中央処理部20に伝送する端子と、第２のカメラ部９および入力操作部10への電力を携帯電話端末本体から受け取る為の端子を備える。
【００７２】
メモリカード26は、必要に応じてメモリカードIFに接続される。
【００７３】
以下、携帯電話端末本体102のみを使用して動画像の撮影を行なう場合の各部の動作を説明する。まず初めにユーザーが入力操作部2に対して動画像の撮影を開始する操作を実行する。入力操作部2への操作を検出した中央処理部は、画像入力選択部24に信号を送り、カメラ部４からの画像データが、画像処理部23へ入力されるようにする。また、中央処理部は、画像処理部23に対して動画像の符号化処理をするよう指示を出し、画像処理部23は、入力された画像データに対して、例えばMPEG-4動画像符号化処理、を行なうと同時に表示部３に対して表示画像データを出力する。さらに、中央処理部は、画像処理部から、符号化済みの画像データを読み出し、内部メモリ21または、メモリカードIF部22を介して例えば、SDカードなどのメモリカードへ符号化済みの画像データを記録する。
【００７４】
このときの、携帯電話端末本体１の各部への電力の供給は、燃料電池35から行なわれ、燃料電池35への燃料の供給は、燃料経路切り替え部を介して、燃料タンク36から行なわれる。
【００７５】
次に、携帯電話端末本体102に拡張ユニット103を装着して動画像の撮影を行なう場合の各部の動作について説明する。まず初めにユーザーが入力操作部10に対して動画像の撮影を開始する操作を実行する。入力操作部10への操作を検出した中央処理部は、画像入力選択部24に信号を送り、拡張ユニット103の光学ズーム付きカメラ部９からの画像データが、画像処理部23へ入力されるようにする。また、中央処理部は、画像処理部23に対して動画像の符号化処理をするよう指示を出し、画像処理部23は、入力された画像データに対して、例えばMPEG-4動画像符号化処理、を行なうと共に表示部３に対して表示画像データを出力する。さらに、中央処理部は、画像処理部から、符号化済みの画像データを読み出し、あらかじめユーザーによって、設定されている格納先、内部メモリ21または、メモリカードIF部22を介して例えば、SDカードなどのメモリカードへ符号化済みの画像データを記録する。
【００７６】
入力画像のズームを行なう場合は、入力操作部10においてズームの操作を行なう、入力操作部10への操作を検出した中央処理部20は、光学ズーム付きカメラ部9へ光学ズーム動作をするように指示を出し、光学ズーム付きカメラ部9のズーム機構が作動する。光学ズーム付きカメラ部9のズーム機構がズームの限界に達してもユーザーがズームの操作を辞めなかった場合、光学ズーム付きカメラ部9がズーム機構の限界に達したことを中央処理部20が検出し、画像処理部23で画像信号処理による入力画像の拡大処理であるデジタルズーム処理を実施する事を指示し、画像処理部23でデジタルズームが実施される。
【００７７】
次に、携帯電話端末本体102に拡張ユニット103を装着して使用する場合の、携帯電話端末本体102及び拡張ユニット103の各部への電力供給に関して説明する。
【００７８】
携帯電話端末本体101、及び拡張ユニット103の各部への電力の供給は、燃料電池34より行なわれ、燃料電池34への燃料の供給は、燃料経路切り替え部35を介して、第2の燃料タンク37より行なわれる。
【００７９】
拡張ユニット103の燃料タンク37の残量があらかじめ定められた閾値、例えば、携帯電話端末本体103の燃料タンク37の総容量の1/20以下となった場合には、その事を検知した中央処理部が、燃料経路切り替え部35に指示を出し、燃料電池34への燃料の供給を燃料タンク36より行なうように燃料経路を切り替える。
【００８０】
（第５の実施の形態）
図８は本発明の第５の実施の形態における携帯電話端末の機能ブロック図を示す。図８においては、図５と同様の構成要素については、同一の符号を付すことにより、説明を省略する。
【００８１】
本実施の形態における拡張ユニット104は、第３の実施の形態における、拡張ユニット200と比べて、小型ハードディスク40をさらに備える事を特徴とする。
【００８２】
また、本実施の形態におけるコネクタ14及び17は、第３の実施の形態のコネクタ14及び17が備える端子に加えて、中央処理部20と小型ハードディスク40間のデータ伝送端子及び制御端子をさらに備える。
【００８３】
本実施の形態において、携帯電話端末本体101のみを使用して動画像の撮影を行なう場合の各部の動作は、第1の実施の形態とまったく同じである。
【００８４】
次に、本実施の形態において、携帯電話端末本体101に拡張ユニット104を装着して動画像の撮影を行なう場合の各部の動作について説明する。まず初めにユーザーが拡張ユニット104の第２の入力操作部10に対して動画像の撮影を開始する操作を実行する。入力操作部への操作を検出した中央処理部は、画像入力選択部24に信号を送り、拡張ユニット104の光学ズーム付きカメラ部９からの画像データが、画像処理部23へ入力されるようにする。また、中央処理部は、画像処理部23に対して動画像の符号化処理をするよう指示を出し、画像処理部23は、入力された画像データに対して、例えばMPEG-4動画像符号化処理、を行なうと共に表示部３に対して表示画像データを出力する。さらに、中央処理部は、画像処理部から、符号化済みの画像データを読み出し、あらかじめユーザーによって、設定されている格納先、内部メモリ21または、メモリカードIF部22を介して例えば、SDカードなどのメモリカード、または、小型ハードディスク40へ、符号化済みの画像データを記録する。
【００８５】
入力画像のズームを行なう場合は、入力操作部10においてズームの操作を行なう、入力操作部２から操作データを受け取った中央処理部20は、光学ズーム付きカメラ部9へ光学ズーム動作をするように指示を出し、光学ズーム付きカメラ部9のズーム機構が作動する。光学ズーム付きカメラ部9のズーム機構がズームの限界に達してもユーザーがズームの操作を辞めなかった場合、光学ズーム付きカメラ部9がズーム機構の限界に達したことを中央処理部20が検出し、画像処理部23で画像信号処理による入力画像の拡大処理であるデジタルズーム処理を実施する事を指示し、画像処理部23でデジタルズームが実施される。
【００８６】
次に、携帯電話端末本体101に拡張ユニット104を装着して使用する場合の、携帯電話端末101及び拡張ユニット104の各部への電力供給に関して説明する。
【００８７】
携帯電話端末本体101の各部への電力の供給は、電源切り替え部25を介して、拡張ユニットのバッテリー部19から供給され、小型ハードディスク104を含む拡張ユニット104の各部へも、拡張ユニットのバッテリー部19より電力が供給される。
【００８８】
また、拡張ユニット104のバッテリー部19の残量があらかじめ定められた閾値、例えば、拡張ユニット104のバッテリー部19の総容量の1/10以下となった場合には、その事を検知した中央処理部が、電源切り替え部25に指示を出し、携帯電話端末本体101及び、拡張ユニット104の各部に対する電力供給を携帯電話端末本体部101のバッテリー部５から行われる。
【００８９】
また、携帯電話端末本体101と拡張ユニット104を接続し、入力操作部２の操作により、拡張ユニット104から、携帯電話端末本体101へのバッテリー充電を選択し実行した場合は、拡張ユニット104のバッテリー部19から充電制御部29を介して携帯電話端末本体部101のバッテリー部５への充電が実施される。
【００９０】
なお、本実施例では、拡張ユニット104が備える記憶手段を小型ハードディスクとしたが、拡張ユニット104が備える記憶手段は、例えば、SDカードなどのメモリカードや、フラッシュメモリや、DVD-RAM、DVD-RWなどの記録可能なディスク装置と記録メディアなどでもよい。
【００９１】
なお、本実施例では、携帯電話端末本体及び拡張ユニットの電源をバッテリーとしたが、携帯電話端末本体及び拡張ユニットの電源は、コンデンサでもよい。
【００９２】
（第６の実施の形態）
図９は本発明の第６の実施の形態における携帯電話端末の機能ブロック図を示す。図９においては、図８と同様の構成要素については、同一の符号を付すことにより、説明を省略する。
【００９３】
本実施の形態における拡張ユニット105は、第５の実施の形態における、拡張ユニット104と比べて、第2の表示部60をさらに備え、かつ第2の表示部60の動作時の消費電力は、第1の表示部３の動作時の消費電力より低いことを特徴とする。
【００９４】
また、本実施の形態におけるコネクタ14及び17は、第５の実施の形態のコネクタ14及び17が備える端子に加えて、画像処理部23と第2の表示部60間のデータ伝送端子及び制御端子をさらに備える。
【００９５】
本実施の形態において、携帯電話端末本体101のみを使用して動画像の撮影を行なう場合の各部の動作は、第1の実施の形態とまったく同じである。
【００９６】
次に、本実施の形態において、携帯電話端末本体101に拡張ユニット105を装着して動画像の撮影を行なう場合の各部の動作について説明する。まず初めにユーザーが拡張ユニット105の第２の入力操作部10に対して動画像の撮影を開始する操作を実行する。入力操作部への操作を検出した中央処理部は、画像入力選択部24に信号を送り、拡張ユニット105の光学ズーム付きカメラ部９からの画像データが、画像処理部23へ入力されるようにする。また、中央処理部は、画像処理部23に対して動画像の符号化処理をするよう指示を出し、画像処理部23は、入力された画像データに対して、例えばMPEG-4動画像符号化処理、を行なうと共に、携帯電話端末本体101の表示部３を折りたたんだ状態であれば、表示部60のみに、携帯電話端末本体101の表示部３を折りたたんでいない場合は、表示部３と表示部60の両方に対して表示画像データを出力する。携帯電話端末本体101の表示部３が折りたたまれた状態では、表示部３の電源はOFFされ、消費電力は低減される。中央処理部は、画像処理部23から符号化済みの画像データを読み出し、あらかじめユーザーによって、設定されている格納先、内部メモリ21または、メモリカードIF部22を介して例えば、SDカードなどのメモリカード、または、小型ハードディスク40へ、符号化済みの画像データを記録する。
【産業上の利用可能性】
【００９７】
本発明の携帯情報端末は、携帯情報端末において動画像の光学ズームと長時間録画を可能とする効果を有し、携帯情報端末や携帯電話機による動画像撮影の機能向上に有用である。
【図面の簡単な説明】
【００９８】
【図１】（ａ）本発明の第１の実施の形態における携帯電話端末において、携帯電話端末本体１と拡張ユニット８が分離された状態を示す外観図（ｂ）同、携帯電話端末本体を図１（ａ）とは別の角度からみた外観図（ｃ）同、携帯電話端末本体１と拡張ユニット８が接続された状態を示す外観図
【図２】本発明の第１の実施の形態における携帯電話端末の機能ブロック図
【図３】（ａ）本発明の第２の実施の形態における携帯電話端末において、携帯電話端末本体１と拡張ユニット８が分離された状態を示す外観図（ｂ）同、携帯電話端末本体を図１（ａ）とは別の角度からみた外観図（ｃ）同、携帯電話端末本体１と拡張ユニット８が接続された状態を示す外観図
【図４】本発明の第２の実施の形態における携帯電話端末の機能ブロック図
【図５】本発明の第３の実施の形態における携帯電話端末の機能ブロック図
【図６】（ａ）本発明の第４の実施の形態における携帯電話端末において、携帯電話端末本体１と拡張ユニット８が分離された状態を示す外観図（ｂ）同、携帯電話端末本体を図１（ａ）とは別の角度からみた外観図（ｃ）同、携帯電話端末本体１と拡張ユニット８が接続された状態を示す外観図
【図７】本発明の第４の実施の形態における携帯電話端末の機能ブロック図
【図８】本発明の第５の実施の形態における携帯電話端末の機能ブロック図
【図９】本発明の第６の実施の形態における携帯電話端末の機能ブロック図
【符号の説明】
【００９９】
１    携帯電話端末本体
２    入力操作部
３    表示部
４    第1のカメラ部
５    第1の電源部
６    第１のカメラ部の撮像方向の軸線と90度の角度をなす軸線
７    第１のカメラ部の撮像方向の軸線
８    拡張ユニット
９    光学ズーム機構を備えた第2のカメラ部
１０    第２の入力操作部
１１    固定用の爪
１２    電源端子
１３    GND端子
１４    コネクタ
１５    電源端子
１６    GND端子
１７    コネクタ
１８    固定用の窪み
１９    第２のバッテリー部
２０    中央処理部
２１    内部メモリ
２２    メモリカードI/F
２３    画像処理部
２４    画像入力選択部
２５    電源切り替え部
２６    メモリカード
２７    通信制御部
２８    アンテナ
３０    燃料口
３１    燃料口
３２    コネクタ
３３    コネクタ
３４    燃料電池
３５    燃料経路切り替え部
３６    第1の燃料タンク
３７    第2の燃料タンク
４０    小型ハードディスク
５１    AC-DC変換部
５２    ソケット
５３    ACケーブル
６０    表示部
１００    拡張ユニット
１０１    携帯電話端末本体
１０２    携帯電話端末本体
１０３    拡張ユニット
１０４    拡張ユニット
１０５    拡張ユニット
２００    拡張ユニット
【図１】
2005208702.tif 000003
【図２】
2005208702.tif 000004
【図３】
2005208702.tif 000005
【図４】
2005208702.tif 000006
【図５】
2005208702.tif 000007
【図６】
2005208702.tif 000008
【図７】
2005208702.tif 000009
【図８】
2005208702.tif 000010
【図９】
2005208702.tif 000011